(57)【要約】【課題】  所謂ワンドア・ツーロックの錠前において、室外側から施錠するときには一方のシリンダ錠を施錠すれば他のシリンダ錠も自動的に施錠できるが、解錠するときには夫々別個に解錠するようにした施錠装置を提供する。【解決手段】  室内側に設けられたサムターンにサムターン軸６を回動可能に設け、各サムターン軸６の内端を、遊動機構及びカプラー９を介して錠箱内の錠止機構３に連結すると共に、カプラー９がサムターン軸６に対し操作角度分遊動できるように構成し、一方、各カプラー９の対応するサムターン軸６に対する相対関係角度を同一にした態様で、上下２個のサムターン軸を連動して回動できるように連結する。【選択図】  図１
2005315047.tif 000002
【特許請求の範囲】
【請求項１】
夫々シリンダ錠を備え、施錠時、鍵孔に挿入した合鍵を一定方向に一定の操作角度回動させることにより施錠し、反対方向に操作角度分回し戻して鍵挿入角度位置において合鍵を抜き、一方、解錠時には、鍵孔に挿入した合鍵を反対方向に一定の操作角度回動させることにより解錠し、一定方向に操作角度分回し戻して挿入角度位置において合鍵を抜くようにした錠箱の一対を、一つの扉の自由側端縁に鉛直方向に沿って装着し、一方、室内側において、夫々の錠箱に対応して扉の内面に装着されたサムターンにサムターン軸を回動可能に設け、各サムターン軸の内端を、遊動機構及びカプラーを介して、錠箱内の錠止機構に連結すると共に、カプラーがサムターン軸に対し操作角度分遊動できるように構成し、他方、各カプラーの対応するサムターン軸に対する相対関係角度を同一にした態様で、連結機構により、上下２個のサムターン軸を連動して回動できるように連結したことを特徴とする扉の施錠装置。
【請求項２】
上記連結機構が、各サムターン軸に装着された歯車と、長さ方向に開口した案内孔の一方の開口端縁に各サムターン軸の歯車と噛み合い係合をするラックを形成し、他方の開口端縁を歯車の歯先円と摺接させるようにした細長い連結板とからなることを特徴とする請求項１に記載の扉の施錠装置。
【請求項３】
上記連結機構が、各サムターン軸に装着されたアームと、このアームの先端を相互にリンク結合する連結リンクとを有する平行四辺形リンクであることを特徴とする請求項１に記載の扉の施錠装置。
【発明の詳細な説明】
【技術分野】
【０００１】
この発明は、扉の施錠装置（以下単に施錠装置という）に係り、特に、所謂ピッキングを不可能にした新規な施錠装置に関する。
【背景技術】
【０００２】
従来、一つの扉に二つの施錠装置を装着した所謂ワンドア・ツーロックという施錠装置が実用されている。
【０００３】
このワンドア・ツーロックは、一つの扉の自由側端縁に鉛直方向に沿って二つの錠箱を装着したもので、各錠箱は、少なくとも、デッドボルト及びこれを操作するデッドカム装置、シリンダ錠及び室内側のサムターンを有し、通常、二つのシリンダ錠は一つの合鍵で施解錠する。
【０００４】
そして、このワンドア・ツーロック装置の存在理由は、ピッキングの操作を２倍にして、ピッキングを非常に困難にするためである。
【０００５】
それは、シリンダ錠が２個装着されていると、犯罪者の心理的な限界時間である１個のシリンダ錠のピッキング時間が２倍になるので、犯罪者がピッキングの実行を躊躇し、その為ワンドア・ツーロックは防犯上安全な施錠装置であることが実証されている。
【０００６】
しかしながら、合鍵の正規の所有者にとっても施解錠操作が２倍になるので、しばしば面倒になり、外出時１個のシリンダ錠のみを施錠することが常態になると、折角のワンドア・ツーロックが通常の施錠装置と変らなくなってしまう。
【０００７】
そこで、本出願人は、先に、後記特許文献１及び特許文献２を以て、施錠するときには上下何れか一方のシリンダ錠を施錠すれば他方も連動して施錠できるが、解錠するときには二つのシリンダ錠を別々に解錠するようにした扉の施錠装置を提案した。
【０００８】
しかしながら、この施錠装置は、一つの錠箱の中に２個の施解錠ユニットを設け、これらの施解錠ユニットを１個の錠箱の中で連動させているので、必然的に錠箱が過大になる、等未だ改良の余地がある。
【特許文献１】特開２０００−０６６６５２
【特許文献２】特開２００１−２７１５２９
【発明の開示】
【発明が解決しようとする課題】
【０００９】
そこで、この発明は、所謂ワンドア・ツーロックを構成する一対の錠箱を一つに纏めず、別々に扉に装着するが、室外側から施錠するときには一方のシリンダ錠を施錠すれば連動して他方も施錠でき、一方、解錠するときには、一対のシリンダ錠を別個に操作するようにして錠前としての安全性を高めた施錠装置を提供することを目的としている。
【００１０】
また、この発明の他の目的は、室内側からは、一対の錠箱の夫々に設けられたサムターンの一方を施解錠操作すれば、他方の錠箱も連動して施解錠で切る施錠装置を提供することを目的としている。
【課題を解決するための手段】
【００１１】
上記の目的を達成するため、この発明は、夫々シリンダ錠を備え、施錠時、鍵孔に挿入した合鍵を一定方向に一定の操作角度回動させることにより施錠し、反対方向に操作角度分回し戻して鍵挿入角度位置において合鍵を抜き、一方、解錠時には、鍵孔に挿入した合鍵を反対方向に一定の操作角度回動させることにより解錠し、一定方向に操作角度分回し戻して挿入角度位置において合鍵を抜くようにした錠箱の一対を、一つの扉の自由側端縁に鉛直方向に沿って装着し、一方、室内側において、夫々の錠箱に対応して扉の内面に装着されたサムターンにサムターン軸を回動可能に設け、各サムターン軸の内端を、遊動機構及びカプラーを介して、錠箱内の錠止機構に連結すると共に、カプラーがサムターン軸に対し操作角度分遊動できるように構成し、他方、各カプラーの対応するサムターン軸に対する相対関係角度を同一にした態様で、連結機構により、上下２個のサムターン軸を連動して回動できるように連結したことを特徴とする。
【発明の効果】
【００１２】
上記のように構成されたこの発明による施錠装置は、一対のサムターンが、連結機構により、各錠箱の錠止機構に対する関係角度を同一にした状態で連動できるから、カプラーの遊動角度分余計に摘みを回さなくてはならないとしても、一対のサムターンの何れかを施錠方向或いは解錠方向に回動させることにより錠止機構を連動して施解錠できる。
【００１３】
また、室外側から合鍵を用いて一方のシリンダ錠を施錠するとき、その施錠操作は連結機構により他方のサムターンに伝達され、この他方のサムターンの作動により他方のシリンダ錠を施錠することができ、したがって一方のシリンダ錠を施錠することにより他方のシリンダ錠も自動的に施錠され、この発明の所期の効果を奏する。
【００１４】
更にまた、施錠された一対のシリンダ錠の一方を室外側から合鍵により解錠するとき、この解錠されるシリンダ錠の内筒に錠止機構を介して連結された当該シリンダ錠に対応するサムターンのカプラーは、合鍵の操作角度分遊動するので、サムターンのサムターン軸は回動せず、したがって他方のシリンダ錠は一方のシリンダ錠の解錠とは独立に施錠状態を続ける。
【００１５】
つまり、室外側から解錠するときには一対のシリンダ錠を夫々解錠しなければならず、ワンドア・ツーロックの本来の機能を損うことがない。
【発明を実施するための最良の形態】
【００１６】
所謂ワンドア・ツーロックの構成に加え、夫々の錠箱に対応して設けられた一対のサムターンを連動して操作できる連結機構と、各サムターン軸の内端に遊動機構を介してカプラーを装着し、このカプラーを錠箱の錠止機構と係合させることにより、室外側からは一対のシリンダ錠を同時に連動して施錠できるが、解錠するときには各シリンダ錠毎に解錠するようにする、という所期の機能を簡単な機構で達成する。
【実施例１】
【００１７】
以下、この発明の一実施例を図１乃至図１２を参照して説明する。
図１において符号１は扉を、符号２はこの扉１の自由側端縁部に埋設された錠箱を夫々示し、この錠箱２内には、通常ダルマと称される施錠部材３が回動可能に設けられている。
【００１８】
このダルマ３は、通常室外側（図１で上側）と室内側の二つに分割されているが、溶接等の結合手段により一体に結合されており、例えばデッドボルトと係合してこれを扉の自由側端縁から出没させる作動アームと一体に結合されている。
【００１９】
また、図６に示すように、外側のダルマ３には断面細長い矩形のシリンダ錠内筒のテールピース４が、内側のダルマ３には、例えば図２に示すように、断面十字形のサムターン軸の先端が係合している。
【００２０】
つまり、テールピース４はダルマ３に対し遊動できるが、回転方向においてはサムターン軸とダルマ３とは相互に拘束される。なお、かかる構成は通常の錠箱においては周知であるから、更に詳細な説明は省略する。
【００２１】
なお、図示の実施例におけるシリンダ錠及び錠箱の連係の態様は、室外側から合鍵を時計方向に９０度回すことにより施錠し、その後９０度反時計方向に回し戻して合鍵を抜いて例えば外出し、帰宅時には、鍵孔に挿入した合鍵を反時計方向に９０度回して解錠し、その後９０度時計方向に回し戻してから合鍵を抜いて室内に入るものとする。
【００２２】
一方、図１に示すように、扉１の内面にはサムターン座５が装着されており、このサムターン座５には断面小判形のサムターン軸６（図６参照）が回動可能に支承されている。
【００２３】
また、サムターン軸６の室内側に突出した部分には摘み７が装着されており、この摘み７を操作することにより、室内側から錠前を施解錠できることは通常のものと同様である。
【００２４】
上記サムターン軸６の内端（図１の上端）には、図３に示す遊動機構８を介して、カプラー９が円周方向に遊動可能に装着されている。
【００２５】
図示の実施例におけるカプラー９は、図１に示すように、室外側の端部（図１で上端部）を断面十字形に成形し、室内側の端部を有底の円筒状に形成されており、この円筒の内筒内にサムターン軸の内端を回動可能に嵌合させている。
【００２６】
サムターン軸６に対する遊動角度を前記したように９０度とし、更にサムターン軸６がカプラー９から抜け出てしまわないように、図３に示すように、カプラー９の円筒部に形成された円周方向の遊動溝１１を挿通して、連結ピン１２がサムターン軸６に打込まれている。
【００２７】
そして、連結ピン１２の外形に応じて遊動溝１１の円周方向の寸法を適切に設定することにより、カプラー９がサムターン軸６に対して相対的に９０度遊動できることになる。
【００２８】
また、上記のようにしてサムターン軸６に連結されたカプラー９の室外側の端部は、図２に示す態様で、錠箱内のダルマと係合している。
【００２９】
一方、図示の実施例では、サムターン軸６の錠箱２と扉１内面との間の部分には、連結機構１３（図４参照）を構成する歯車１４が装着されている。
【００３０】
図示の実施例における歯車１４は、図１及び図４に示すように、有底のカップ状に成形されており、その開口端縁部に形成されたフランジの外周に歯車が切られている。
【００３１】
また、上記カップの底面には、図４に示すように、サムターン軸６と嵌合可能な小判形の連結孔１５が開口しており、また、カップの内筒部は、上記カプラー９の円筒部が収納できるようにその内径が設定されている。
【００３２】
そして、図１に示すように、サムターン軸の内端にカプラー９を装着した後、サムターン軸の外端（室内側の端）をカップの内筒部から底面の連結孔１５を通して回り止めを施し、更に、カプラー９の外側にフランジ１６付の薄肉円筒を嵌装し、また、ワッシャー１７を介して止め輪１８を嵌着して歯車１４の抜け止めを施す。
【００３３】
しかる後、サムターン座５を通し、サムターン軸６の外端に摘みを装着してサムターンを構成する。なお、このように構成されたサムターンは、ユニットとして別個用意し、例えば室外側のシリンダ錠を呼び付けるねじにより扉内面に装着する（図示せず）。
【００３４】
上記のように構成されたサムターンは、一対の錠箱に夫々対応して一対設けられていることは前記した通りである。
【００３５】
なお、上記フランジ１６は、連結機構１３（図４参照）を構成する後述の連結板１９（図１及び図４参照）を錠箱１の室内側の側板との間に挟んでその振れ止めをするものである。
【００３６】
他方、前記したように、図１に示すサムターンと、これと対をなす他のサムターンの夫々のサムターン軸６は、連結機構１３を介して、相互に連動して回動できるように連結されている。
【００３７】
すなわち、図４に示す連結機構１３において符号１９は連結板を示し、図示の実施例における連結板１９は例えば細長い板材で、その中央部には長さ方向に沿って案内孔２１が開口している。
【００３８】
そして、この案内孔２１の一対の直線状の開口端縁の一方には前記歯車１４と噛み合い係合をするラック２２が刻設されており、他方の開口端縁は、歯車１４の歯先円と摺接できるように平滑な細長い平面となっている。
【００３９】
上記のように構成された連結板１９を介して一対のサムターン軸６、６を連結するには、例えば、図５に示すように、下方の錠箱を先に扉１に装着し、扉の自由側端縁の上方の錠箱を挿入する開口から斜め下に連結板１９を挿入する。
【００４０】
そして、サムターンのカプラー９とダルマ３の芯を合せ、錠箱１の側板とフランジ１６との間に連結板１９を挟んだ状態で、ラック２２と歯車とを噛み合わせてサムターンを扉の内面に装着する。
【００４１】
次いで、連結板１９の上部を扉内に挿入し、これを鉛直な状態に仮止めした後、上方の錠箱を扉に装着し、上記したと同様にして上方のサムターンの歯車１４を連結板のラック２２と噛み合わせ、上方のサムターンを扉内面に装着する。
【００４２】
なお、上記のようにして上下の歯車１４、１４をラック２２を介して連結したとき、各カプラー９の対応するサムターン軸６に対する相対関係角度を同一にすることが肝要である。
【００４３】
ここで、カプラー９とサムターン軸６の相対関係角度とは、両者に設けた基準角度位置の角度間隔をいうものとし、これが同一でないとサムターンを操作したとき上下でカプラーの角度位置が異なり、施解錠操作に遅速が生じる。
【００４４】
上記のように構成されたこの発明の一実施例による施錠装置の作動は前記した通りであるが、以下にこれを具体的に検証してみる。
【００４５】
図６乃至図１２は上方（または下方）の錠箱のダルマ３とテールピース４を室内側から見たものを左に、カプラー９とサムターン軸６の断面図を右に、夫々対にして示す。
【００４６】
なお、前記したように、図示の実施例におけるシリンダ錠は、室外において合鍵を９０度時計方向に回すことによって施錠するものとし、図６においてダルマ３に印された基準点Ｐが時計盤面に換算して１２時の角度位置にあるとき解錠されてデッドボルトが錠箱から引込んでいるものとする。
【００４７】
また、図７に示すように基準点Ｐが時計盤面に換算して９時の角度位置にあるとき、錠前が施錠されてデッドボルトが錠箱が突出する。
【００４８】
図６は帰宅して室内に入った直後の状態を示し、このときには、ダルマ３は解錠状態に、室内側のカプラー９とサムターン軸６の相互の関係角度及び角度位置は図示のようになっているものとする。
【００４９】
閉扉後、図７に示すように、上方のサムターンの摘み７を操作してサムターン軸６を反時計方向に９０度回す。
【００５０】
すると、サムターン軸６が連結ピン１２を介してカプラー９を反時計方向に９０度回すと共に、サムターン軸６の回動は歯車１４及び連結板１９を介して下方の歯車１４に伝達され、このようにして上下のカプラー９、９がどうきして反時計方向に９０度回る。
【００５１】
この回動がダルマ３に伝達されて上下のシリンダ錠のテールピース４、４が同期して９０度反時計方向に回動すると共に、上下の錠箱から夫々デッドボルトが突出して扉を錠止する。
【００５２】
次いで、サムターンの摘みから手を離すことなく摘みを時計方向に９０度回す。すると、図８に示すように、サムターン軸６の連結ピン１２が遊動溝１１中を遊動し、カプラー９及びこれと一体のダルマ３を図７の角度位置に残す。この状態でサムターンの摘みから手を離し、玄関から屋内に入る。
【００５３】
外出するときには、図９に示すように、室内側からサムターン軸６を時計方向に９０度回す。すると、カプラー９も一体的に９０度回るので、上方のダルマ３が９０度回動して錠前が解錠されるが、テールピース４は図８に示す角度位置に残るので、シリンダ錠のタンブラーに無理な力が掛かることはない。
【００５４】
上記した回動は上方のサムターン軸６に連結された下方のサムターン軸にも伝達され、下方の錠箱も同時に解錠される。
【００５５】
外出のため施錠するときには、扉外面の上下何れか一方のシリンダ錠に合鍵を差し込み、これを９０度時計方向に回動する。
【００５６】
すると、図１０に示すように、テールピース４が駆動体となって反時計方向に９０度回動するので、基準点Ｐも反時計方向に回動して錠前は施錠される。
【００５７】
図９及び図１０から明らかなように、テールピース４を反時計方向に回動させると、カプラー９及びサムターン軸６も一体的に反時計方向に回動し、サムターン軸６の回動は連結機構を介して他方のサムターン軸６に伝達され、今度はカプラー側からダルマが駆動されて他方の錠前も同時に施錠される。
【００５８】
他方のテールピース４は図９に示すような角度位置にあるので、ダルマ３の反時計方向に回動に対しテールピースが干渉することはない。
【００５９】
合鍵を時計方向に９０度回して施錠したら、図１１に示すように、反時計方向に９０度回し戻して合鍵を引抜く。このときカプラー９及びサムターン軸６は回動しない。
【００６０】
このときには、上下両方のダルマ及びサムターンの角度位置は図１１に示すようになる。
【００６１】
帰宅して解錠するときには、図１２に示すように、一方のシリンダ錠に合鍵をさしこみ、これを反時計方向に９０度回す。
【００６２】
すると、一方のダルマ３及びカプラー９は図１２に示すように連動して時計方向に９０度回るが、連結ピン１２が遊動溝１１中で遊動するので、一方のサムターン軸６は回動せず、したがって他方のダルマ３及びサムターン軸６、カプラー９の関係角度は図１１に示した状態に留まる。
【００６３】
つまり、室外側から解錠するときには上下両方の錠前を夫々解錠しなければならない。
【００６４】
図１２において、テールピース４を９０度時計方向（図では反時計方向）に回し戻して合鍵を抜けば、図６に示す状態に戻る。
【実施例２】
【００６５】
図１３乃至図１５はこの発明の他の実施例を示し、この実施例は、前記連結板１９を予め扉の内面に装着しておき、この発明による扉の施錠装置の組立を容易にしたものである。
【００６６】
すなわち、図１４及び図５に示すように、扉の室内側の面に、上下のサムターンの夫々に対応して、横長の矩形の下辺に半円形を接続した形状のサムターン開口２３を形成する。
【００６７】
一方、扉面に装着されたときこのサムターン開口２３の近傍に位置するようになる前記連結板１９の側端縁の部分が室内側に向かって断面Ｌ字形に切り起こされ（図１５参照）、計４個の案内片２４、２４が形成されている。
【００６８】
そして、この案内片２４を夫々サムターン開口２３の段部に係合させて、歯車１４によらずとも一定の距離上下方向に移動できるように案内させる。
【００６９】
なお、上記の様に案内片２４をサムターン開口２３の段部に係合させるには、サッシの扉１を組み立てる前に、扉の室内側の面の内面（図１５で右方）側から、案内片２４をしてサムターン開口２３を潜らせ、しかる後連結板１９を下に落として係合させる。
【００７０】
このとき、要すれば室内側に露出する案内片２４、２４を粘着テープ等で仮に固定すると良い。
【００７１】
扉組み立て後、図１４に示すようにサムターン座５によってサムターン開口２３を覆うと共に、サムターン座５の取付面（図１３で上面）に形成された凹陥部２５によって案内片２４がサムターン開口の段部から外れないようにする。
【００７２】
このとき、同時に、サムターン軸６のカプラー９を錠箱のダルマ３に係合させると共に、歯車１４をラック２２と噛み合わせる（図１３参照）。
【００７３】
すなわち、図１３乃至図１５に示す実施例では、連結板１９は一対の歯車１４、１４によって水平方向の動きを拘束され、板厚方向では、連結板自身と案内片２４とが扉内面を挟むことによって拘束される。
【実施例３】
【００７４】
なお、この発明は図示の実施例に限定されること無く、種々に変形して実施することが可能である。
【００７５】
例えば、図示の実施例における連結機構は、サムターン軸に装着された歯車と、扉内に収納された連結板により構成するものとしたが、これは、サムターン軸に装着されたスプロケットホイールとラダーチェーンの組み合わせ、或いはスプロケットホイールとタイミングベルトの組み合わせ（共に図示せず）によっても連結機構を構成することができる。
【００７６】
但し、この場合にはラダーチェーン或いはタイミングベルトは扉に内蔵するとすると組立てが難しいので、室内側に露出するように設け、これも室内側に露出するスプロケットホイールと共にカバーで覆うを可とする。
【００７７】
また、サッシの扉の組み立て前であれば、図示の実施例における連結機構（連結板）１９をその長さ方向に案内する機構を扉内に装着することは極めて容易である。
【実施例４】
【００７８】
図１６乃至図２０はこの発明の更に他の実施例を示し、この実施例は、上下の錠箱のサムターン軸を平行四辺形をなす４節回転連鎖（以下単に平行四辺形リンクという）によって連結したものである。
【００７９】
すなわち、図１６において符号１２は連結ピンを示し、この連結ピン１２の機能は前記したものと同様であるが、異なっているのは、この連結ピンの外端が半径方向に延伸して、連結プラグ２６の係合溝２７（図１８参照）と係合していることである。
【００８０】
この連結プラグ２６は、図１８及び図１９に示すように、その前面（図１９で上面）に小判形の突出部を形成し、その両脇に段部２８、２８を形成した厚肉筒体で、小判形の突出部の円弧部外周には、図１９に示すように、断面３角形のかしめ突条２９が形成されている。
【００８１】
そして、図１６及び図１７に示すように、アーム３１の基部に形成した小判形の開口に連結プラグ２６の上記小判形の突出部を嵌め込み、上記かしめ突条２９を外側に倒すようにかしめて連結プラグ２６とアーム３１とを結合する。なお、上下の錠箱におけるアーム３１の長さは同じ長さとする。
【００８２】
一方、図１６及び図１７に示すように、扉１の内面と錠箱２との間の空間に、扉２から少し離して、細長い基板３２を設ける。
【００８３】
この基板３２は、扉１を組立る前に扉内面の錠箱２側の面に、図面を明瞭にするため図示を省略するスペーサを介して、例えばねじ止めにより装着する。なお、言うまでもないが、このねじはサムターン座５により隠すようにすると良い。
【００８４】
扉内面の前記サムターン開口２３から覗くことができる基板３２の部分には、上下に長い案内孔３３が開口しており、また、各案内孔３３には連結プラグ２６の小径部３４（図１９参照）が摺動可能に係合していて、止め輪溝３５（図１９参照）に嵌着された止め輪１８（図１６参照）により抜け止めが施されている。
【００８５】
また、各アーム３１の先端は、上下の錠箱の間隔と同じ長さの連結リンク３６を介して相互にリンク結合されており、このようにして、一対のアーム３１、３１及び連結リンク３６は平行四辺形リンクをなす。
【００８６】
上記した本発明の更に他の実施例による扉の施錠装置によれば、上下の錠箱を扉に装着後、外周面に連結ピン１２を突出させたカプラー９を、連結ピンと係合溝２７を係合させつつ連結プラグ２６に嵌合させ、その後サムターン座５を扉内面に装着する。
【００８７】
すると、上下のサムターン軸６、６は平行四辺形リンクを介して相互に連結されることになり、上下何れか一方のサムターン摘みを施錠方向或いは解錠方向に回動させれば、他方のサムターン軸も同方向に同じ角度回動する。
【００８８】
なお、サムターン軸６、６の間隔と連結リンク３６の長さが同一の場合は平行四辺形リンクが構成され、サムターン軸６、６が同じ角度回動するが、サムターン軸６、６の間隔が規定値（連結リンク３６の長さ）より増減する場合には、サムターン軸６、６の回動角度が少し異なることになる。
【００８９】
しかしながら、結論を先に述べればそれはそれで差し支えない。何故ならば、図２０に示すように、デッドボルト３７は、従動切欠３８を介して、サムターンやシリンダ錠に連結された駆動アーム３９に駆動されて錠箱から出没するように駆動されるのだが、駆動アーム３９が従動切欠３８から脱出する角度位置と、衝止部４１の完全に乗り上がる角度位置との間にαの遊びの角度がある。
【００９０】
そのため、上下何れか一方の駆動アームが完全に衝止部４１に乗り上がったとき、クリック感が生じて人は施解錠操作が終了したことを感知でき、また、他方の駆動アーム３９は、遅れても衝止部４１に乗り上がっているので、その作動に変りはないからである。
【図面の簡単な説明】
【００９１】
【図１】この発明の一実施例の要部を示すサムターンの断面図。
【図２】ダルマと係合するカプラーの断面図。
【図３】遊動機構の断面図。
【図４】連結機構の一部の部材を省略して示す正面図。
【図５】連結板の組み込みを説明するための扉の線図的正面図。
【図６】施錠装置の作動を説明するための線図で、解錠状態を示す。
【図７】施錠装置の作動を説明するための線図で、サムターンによって施錠した状態を示す。
【図８】施錠装置の作動を説明するための線図で、サムターンによって施錠した後摘みを９０度回し戻した状態を示す。
【図９】施錠装置の作動を説明するための線図で、外出のためサムターンによって解錠した状態を示す。
【図１０】施錠装置の作動を説明するための線図で、室外側から合鍵によって施錠した状態を示す。
【図１１】施錠装置の作動を説明するための線図で、室外側から合鍵によって施錠した合鍵を回し戻して鍵孔から引き抜いた状態を示す。
【図１２】施錠装置の作動を説明するための線図で、室外側から合鍵によって解錠した状態を示す。
【図１３】この発明の他の実施例の要部を示すサムターンの断面図。
【図１４】この発明の他の実施例におけるサムターンの取付部の正面図。
【図１５】この発明の他の実施例における連結板の取付部の断面図。
【図１６】この発明の更に他の実施例の要部を示すサムターンの断面図。
【図１７】この発明の更に他の実施例におけるサムターンの取付部の正面図。
【図１８】連結プラグの平面図。
【図１９】そのＸＩＸ−ＸＩＸ線による拡大断面図。
【図２０】デッドボルトと駆動アームによる駆動機構を説明するための線図。
【符号の説明】
【００９２】
１  扉
２  錠箱
３  ダルマ
４  テールピース
６  サムターン軸
８  遊動機構
９  カプラー
１１  遊動溝
１２  連結ピン
１３  連結機構
１４  歯車
１９  連結機構
２１  案内孔
２２  ラック
２３  サムターン開口
２４  案内片
２６  連結プラグ
２７  係合溝
３１  アーム
３６  連結リンク
【図１】
2005315047.tif 000003
【図２】
2005315047.tif 000004
【図３】
2005315047.tif 000005
【図４】
2005315047.tif 000006
【図５】
2005315047.tif 000007
【図６】
2005315047.tif 000008
【図７】
2005315047.tif 000009
【図８】
2005315047.tif 000010
【図９】
2005315047.tif 000011
【図１０】
2005315047.tif 000012
【図１１】
2005315047.tif 000013
【図１２】
2005315047.tif 000014
【図１３】
2005315047.tif 000015
【図１４】
2005315047.tif 000016
【図１５】
2005315047.tif 000017
【図１６】
2005315047.tif 000018
【図１７】
2005315047.tif 000019
【図１８】
2005315047.tif 000020
【図１９】
2005315047.tif 000021
【図２０】
2005315047.tif 000022